(57)【要約】【課題】光ディスクにデータが記録されているか否かを適切に判別する。【解決手段】光ディスク装置１は、半導体レーザ４１と、光検知器４６と、処理部２０と、映像・音声信号入出力部１０とを含む。光検知器４６は、隣接し合う複数の位置および外側の位置における反射光の強度を示す信号を生成する。処理部２０は、光検知器４６が生成した信号を処理する。映像・音声信号入出力部１０は、増幅部２０６が増幅した信号が表わす情報を出力する。処理部２０は、隣接し合う複数の位置それぞれにおける反射光の強度を示す値と外側の位置における反射光の強度を示す値とに基づいて、利得を算出する。処理部２０は、利得算出部２０２が算出した利得を記憶する。処理部２０は、記憶部２０４が記憶した利得に基づいて、隣接し合う複数の位置において受光した反射光の強度を示す信号を増幅する。【選択図】図１
2008159115.tif 000002
【特許請求の範囲】
【請求項１】
二層以上の記録層を含む光ディスクに対して光を照射するための照射手段と、
互いに隣接し合う複数の位置と前記光ディスクからの反射光の経路の中心軸に対し前記隣接し合う複数の位置の外側であって前記中心軸に対し互いに対称な複数の位置とにおいて前記反射光を受け、前記隣接し合う複数の位置および前記対称な複数の位置における前記反射光の強度を示す信号を生成するための信号生成手段と、
前記信号生成手段が生成した信号を処理するための処理手段とを含み、
前記処理手段は、
前記隣接し合う複数の位置それぞれにおける前記反射光の強度を表す値の総和と前記対称な複数の位置それぞれにおける前記反射光の強度を表す値の総和との差に基づいて、利得を算出するための利得算出手段と、
前記利得算出手段が算出した利得を記憶するための記憶手段と、
前記記憶手段が記憶した利得に基づいて、前記隣接し合う複数の位置において受光した前記反射光の強度を示す信号を増幅するための増幅手段とを含み、
前記増幅手段が増幅した信号が表わす情報を出力するための出力手段をさらに含む、光ディスク装置。
【請求項２】
二層以上の記録層を含む光ディスクに対して光を照射するための照射手段と、
互いに隣接し合う複数の位置と前記光ディスクからの反射光の経路の中心軸に対し前記隣接し合う複数の位置の外側の位置において前記反射光を受け、前記隣接し合う複数の位置および前記外側の位置における前記反射光の強度を示す信号を生成するための信号生成手段と、
前記信号生成手段が生成した信号を処理するための処理手段とを含み、
前記処理手段は、
前記隣接し合う複数の位置それぞれにおける前記反射光の強度を示す値と前記外側の位置における前記反射光の強度を示す値とに基づいて、利得を算出するための利得算出手段と、
前記利得算出手段が算出した利得を記憶するための記憶手段と、
前記記憶手段が記憶した利得に基づいて、前記隣接し合う複数の位置において受光した前記反射光の強度を示す信号を増幅するための増幅手段とを含み、
前記増幅手段が増幅した信号が表わす情報を出力するための出力手段をさらに含む、光ディスク装置。
【請求項３】
前記信号生成手段は、互いに隣接し合う複数の位置と前記反射光の経路の中心軸に対し前記隣接し合う複数の位置の外側であって前記中心軸に対し互いに対称な複数の位置とにおいて前記反射光を受け、前記隣接し合う複数の位置および前記対称な複数の位置における前記反射光の強度を示す信号を生成するための手段を含み、
前記利得算出手段は、前記隣接し合う複数の位置それぞれにおける前記反射光の強度を表す値と前記対称な複数の位置それぞれにおける前記反射光の強度を表す値とに基づいて、前記利得を算出するための手段を含む、請求項２に記載の光ディスク装置。
【請求項４】
前記利得算出手段は、前記隣接し合う複数の位置それぞれにおける前記反射光の強度を表す値の総和と前記対称な複数の位置それぞれにおける前記反射光の強度を表す値の総和との差に基づいて、前記利得を算出するための手段を含む、請求項３に記載の光ディスク装置。
【発明の詳細な説明】
【技術分野】
【０００１】
本発明は、光ディスク装置に関し、特に、光ビームを動作位置へまたは動作位置から移動させる機構を有する光ディスク装置に関する。
【背景技術】
【０００２】
特許文献１は、少なくとも第１記録層および第２記録層を有する多層光ディスクに対してデータの記録または再生を行う光ディスク装置を開示する。光ディスク装置は、生成装置と、検出装置と、補正装置とを含む。生成装置は、データの記録または再生を行う層を第２記録層とした場合に、第２記録層に照射したレーザ光の戻り光からトラッキングエラー信号を生成する。検出装置は、レーザ光が第１記録層における未記録領域と記録領域との境界領域に位置することを検出する。補正装置は、境界領域に位置することが検出されたときに、トラッキングエラー信号にオフセット信号を付加してトラッキングエラー信号を補正する。
【０００３】
特許文献１に開示された発明によると、他層の記録状態によらず安定してシーク動作やトレース動作を行うことができる。
【０００４】
特許文献２は、少なくとも２層以上からなる複数層の情報記録層を有する光ディスクの記録面に対して光ビームを照射し、光ビームの反射光を受光することにより記録信号を再生する光ディスク装置を開示する。光ディスク装置は、抽出装置と、歪補正装置とを含む。抽出装置は、複数層の情報記録層における一の情報記録層に対して光ビームをの焦点を合わせることにより再生される再生信号が他の情報記録層からの層間ストロークによって変調されていた場合、再生信号のエンベローブ信号を抽出する。歪補正装置は、エンベローブ信号を一定にするように直流成分を含む再生信号をゲイン調整することにより再生信号の層間ストロークによる歪を補正する。
【０００５】
特許文献２に開示された発明によると、複数の情報記録層を有する光ディスクを再生した際に再生信号の層間ストロークによる歪を予め除去して正確な再生結果を得ることができる。
【０００６】
特許文献３は、複数の情報信号層を積層してなる多層光ディスクの一の情報信号層のトラックに主ビームと二つの補助ビームとを照射し、二つの補助ビームの情報信号層からの反射ビームの差に応じて多層光ディスクの一の情報信号層のトラックに対する主ビームのトラッキングを制御する多層光ディスクのトラッキング制御装置を開示する。
【０００７】
特許文献３に開示された発明によると、多層構造の光ディスクの再生においてトラック追従時の対物レンズの横移動による光検出器面上の迷光スポットの移動を除去でき、かつ光検出器の機械的な位置ズレなどにより生じるトラッキング誤差信号のオフセットを除去できる。
【特許文献１】特開２００６−２０２３７７号公報
【特許文献２】特開２００６−１２０２９１号公報
【特許文献３】特開平９−１６１２９５号公報
【発明の開示】
【発明が解決しようとする課題】
【０００８】
しかし、特許文献１〜３に開示された発明では、光ディスクの記録済み領域が誤って未記録領域と判別される可能性が少々高いという問題点がある。
【０００９】
本発明は上述の問題点を解決するためになされたものであって、その目的は、光ディスクにデータが記録されているか否かを適切に判別できる光ディスク装置を提供することにある。
【課題を解決するための手段】
【００１０】
上記目的を達成するために、本発明のある局面に従うと、光ディスク装置は、照射手段と、信号生成手段と、処理手段と、出力手段とを含む。照射手段は、二層以上の記録層を含む光ディスクに対して光を照射する。信号生成手段は、互いに隣接し合う複数の位置と光ディスクからの反射光の経路の中心軸に対し隣接し合う複数の位置の外側であって中心軸に対し互いに対称な複数の位置とにおいて反射光を受け、隣接し合う複数の位置および対称な複数の位置における反射光の強度を示す信号を生成する。処理手段は、信号生成手段が生成した信号を処理する。出力手段は、増幅手段が増幅した信号が表わす情報を出力する。処理手段は、利得算出手段と、記憶手段と、増幅手段とを含む。利得算出手段は、隣接し合う複数の位置それぞれにおける反射光の強度を表す値の総和と対称な複数の位置それぞれにおける反射光の強度を表す値の総和との差に基づいて、利得を算出する。記憶手段は、利得算出手段が算出した利得を記憶する。増幅手段は、記憶手段が記憶した利得に基づいて、隣接し合う複数の位置において受光した反射光の強度を示す信号を増幅する。
【００１１】
本発明の他の局面に従うと、光ディスク装置は、照射手段と、信号生成手段と、処理手段と、出力手段とを含む。照射手段は、二層以上の記録層を含む光ディスクに対して光を照射する。信号生成手段は、互いに隣接し合う複数の位置と光ディスクからの反射光の経路の中心軸に対し隣接し合う複数の位置の外側の位置において反射光を受け、隣接し合う複数の位置および外側の位置における反射光の強度を示す信号を生成する。処理手段は、信号生成手段が生成した信号を処理する。出力手段は、増幅手段が増幅した信号が表わす情報を出力する。処理手段は、利得算出手段と、記憶手段と、増幅手段とを含む。利得算出手段は、隣接し合う複数の位置それぞれにおける反射光の強度を示す値と外側の位置における反射光の強度を示す値とに基づいて、利得を算出する。記憶手段は、利得算出手段が算出した利得を記憶する。増幅手段は、記憶手段が記憶した利得に基づいて、隣接し合う複数の位置において受光した反射光の強度を示す信号を増幅する。
【００１２】
また、上述した信号生成手段は、互いに隣接し合う複数の位置と反射光の経路の中心軸に対し隣接し合う複数の位置の外側であって中心軸に対し互いに対称な複数の位置とにおいて反射光を受け、隣接し合う複数の位置および対称な複数の位置における反射光の強度を示す信号を生成するための手段を含むことが望ましい。併せて、利得算出手段は、隣接し合う複数の位置それぞれにおける反射光の強度を表す値と対称な複数の位置それぞれにおける反射光の強度を表す値とに基づいて、利得を算出するための手段を含むことが望ましい。
【００１３】
もしくは、上述した利得算出手段は、隣接し合う複数の位置それぞれにおける反射光の強度を表す値の総和と対称な複数の位置それぞれにおける反射光の強度を表す値の総和との差に基づいて、利得を算出するための手段を含むことが望ましい。
【発明の効果】
【００１４】
本発明に係る光ディスク装置は、光ディスクにデータが記録されているか否かを適切に判別できる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１は、本発明の実施の形態に従う光ディスク装置１の概略ブロック図である。
図１を参照して、光ディスク装置１は、ＣＤ（Compact Disc）やＤＶＤ（Digital Versatile Disk）などの同心円状または渦巻状の情報記録トラックが形成された光ディスク７０に対して、音楽や映像などの情報の記録および再生を行なう。
【００１７】
光ディスク装置１は、ディスク挿入検知部２と、スピンドルモータ３と、光ピックアップ４と、移動モータ５と、レーザ駆動部６と、ＲＦ信号生成部７と、データスライス信号生成部８と、フォーカスドライブ部およびトラッキングドライブ部を有するサーボ制御部９とを備える。さらに、光ディスク装置１は、映像・音声信号入出力部１０と、リモコン１１と、リモコン受信部１２と、表示部１３と、上記各部を制御するための処理部２０とを備えている。
【００１８】
なお、光ピックアップ４、ＲＦ信号生成部７、データスライス信号生成部８およびサーボ制御部９は情報読取ブロックを構成する。
【００１９】
ディスク挿入検知部２は、光ディスク７０が図示しないディスク挿入部から挿入されたことを検出し、その信号を処理部２０へ入力する。挿入された光ディスク７０は、スピンドルモータ３に装着される。スピンドルモータ３は、処理部２０からの指示に従い回転駆動され、装着された光ディスク７０が所定速度で回転するように制御する。
【００２０】
光ピックアップ４は、光ディスク７０に対して情報の記録および再生を行なうための光を照射すると共に、光ディスク７０からの反射光を受光して電気信号に変換出力するものである。光ピックアップ４は、処理部２０からの指示に基づきリニアモータから成る移動モータ５により光ディスク７０上でその半径方向に移動される。
【００２１】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、および集光レンズ４５を介して光検知器４６で受光する。
【００２２】
半導体レーザ４１は、処理部２０からの指示に応答して動作するレーザ駆動部６によりその発光が制御される。光検知器４６は、受光面が複数の領域に分割され、領域毎に受光強度に応じた電気信号を出力する分割フォトダイオードから構成されており、光検知器４６からの出力信号はＲＦ信号生成部７に入力される。
【００２３】
対物レンズ４４は、レンズホルダ４７に保持されており、レンズホルダ４７には、フォーカシングコイル４８と、トラッキングコイル４９が設けられている。フォーカシングコイル４８は、永久磁石５０との磁気作用により、対物レンズ４４を光ディスク７０のディスク面と垂直な方向へ移動させるものである。フォーカシングコイル４８と永久磁石５０とは、対物レンズ４４の光軸に沿ってレンズホルダ４７を駆動する、フォーカス駆動機構を構成している。また、トラッキングコイル４９は、同様に、対物レンズ４４を光ディスク７０のディスク面と平行に光ディスク７０の記録トラックと垂直な方向へ移動させるものである。
【００２４】
ＲＦ信号生成部７は、光検知器４６からの出力信号に基づいてＲＦ信号を生成し、データスライス信号生成部８へ出力する。データスライス信号生成部８は、このＲＦ信号を２値化したデータスライス信号を生成し、処理部２０へ入力する。処理部２０では、このデータスライス信号を復号することにより、映像信号や音声信号を得る。
【００２５】
また、ＲＦ信号生成部７は、光検知器４６からの出力信号に基づいて、フォーカスエラー信号およびトラックエラー信号を生成し、サーボ制御部９へ出力する。フォーカスエラー信号は、対物レンズ４４を介して光ディスク７０に照射する光の集光点の光ディスク７０面からのずれ量に対応する信号であり、トラックエラー信号は、集光点の記録トラックからのずれ量に対応する信号である。
【００２６】
また、ＲＦ信号生成部７は、Ａ／Ｄ（analog to digital）変換により、入力された信号の強度を表わすデジタル信号を生成する。
【００２７】
サーボ制御部９は、これらフォーカスエラー信号およびトラックエラー信号に基づいて、フォーカシングコイル４８およびトラッキングコイル４９への電流供給を制御して対物レンズ４４を移動させる。これにより、集光点は、光ディスク７０のディスク面上、かつ、記録トラック上に位置するようにサーボ制御される。
【００２８】
映像・音声信号入出力部１０には、図示しないディスプレイやスピーカ、テレビ受像機などの外部装置が接続され、光ディスク７０から再生した映像信号や音声信号の出力や、外部装置からの映像信号や音声信号の入力が行なわれる。
【００２９】
リモコン１１は、光ディスク装置１の各種の動作を操作するためのものであり、各種の動作を操作するための操作キー（何れも不図示）を備えている。リモコン７は、これらのキーの操作に応じて、対応する信号を赤外線信号で送出する。リモコン受信部１２は、リモコン１１から送出される赤外線信号を受信し、その信号を処理部２０へ出力する。表示部１３は、光ディスク装置１本体のフロントパネルに設けられ、リモコン１１により操作された内容や光ディスク装置１の動作状況などなどを表示する。
【００３０】
ここで、光ディスク７０に対する情報の記録や再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、ＲＦ信号生成部７からのフォーカスエラー号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、ＲＦ信号生成部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３１】
フォーカスオンおよびトラックオンさせた後は、サーボ制御部９により、フォーカスエラー信号およびトラックエラー信号に基づいてフォーカシングコイル４８およびトラッキングコイル４９への電流供給を制御し、フォーカスオン状態およびトラックオン状態を維持するようにフォーカシングサーボ制御およびトラッキングサーボ制御が行なわれる。
【００３２】
そして、このサーボ状態でＲＦ信号生成部７から出力されたＲＦ信号がデータスライス信号生成部８に入力され、データスライス信号生成部８によりＲＦ信号を２値化して生成されたデータスライス信号が処理部２０に入力される。処理部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３３】
また、光ディスク７０への情報の記録は、同様に、フォーカシングおよびトラッキングのサーボ状態で、半導体レーザ４１からの光により光ディスク７０上にピットを形成することにより行なわれる。このとき、映像・音声信号入出力部１０から入力された映像信号や音声信号が処理部２０により符号化され、半導体レーザ４１が、処理部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３４】
上記構成の光ディスク装置１は、処理部２０による制御のもと、リモコン１１を操作することにより、光ディスク７０からの情報の再生や、光ディスク７０への情報の記録などを行なう。また、光ディスク装置１は、処理部２０による制御のもと、光ディスク７０が挿入されると、光ディスク７０の最内周側に記録されている情報を読取る初期動作を行なう。そして、初期動作で読取った情報に基づいて、挿入された光ディスク７０の種類や記録内容を判断し、その後の情報の記録や再生などの動作を制御する。
【００３５】
処理部２０は、利得算出部２０２と、記憶部２０４と、増幅部２０６と、変換部２０８とを含む。利得算出部２０２は、後述する複数の内周領域４６２における光の強度を示す値の総和と後述する外周領域４６４における光の強度を表す値の総和との差に基づいて、利得を算出する。記憶部２０４は、利得算出部２０２が算出した利得を記憶する。増幅部２０６は、記憶部２０４が記憶した利得に基づいて、内周領域４６２についての光検知器４６が生成した信号を増幅する。変換部２０８は、増幅部２０６が増幅した信号を復号する。変換部２０８は、図示しない外部入力端子や図示しないチューナが抽出した、映像信号や音声信号を圧縮することにより、光ディスク７０に記録する信号を生成するユニットでもある。
【００３６】
図２は、光検知器４６の構成を表わす図である。図２を参照して、光検知器４６は、複数の内周領域４６２と、複数の外周領域４６４とを含む。内周領域４６２は、光ディスク７０からの反射光の経路の中心軸を含む中心領域に設けられている。内周領域４６２において、そこに配置された受光素子は、その反射光を受けてその反射光の強度に対応する信号を生成する。外周領域４６４は、上述した中心領域の外に設けられている。外周領域４６４は、その反射光の経路の中心軸に対して互いに対称な位置に設けられている。外周領域４６４において、そこに配置された受光素子は、光ディスク７０からの反射光を受けてその反射光の強度に対応する大きさの信号を生成する。
【００３７】
図３は、本実施の形態にかかる処理部２０を実現するコンピュータハードウェアの制御ブロック図である。図２を参照して、本実施の形態にかかる処理部２０は、ＣＰＵ（Central Processing Unit）２３１と、Ｉ／Ｏ（Input/Output）２３２と、ＲＯＭ（Read Only Memory）２３３と、ＲＡＭ（Random Access Memory）２３５と、メモリカード駆動装置２３７と、バス２３９とを含む。ＣＰＵ２３１は、図２に示すコンピュータハードウェアが処理部２０として動作するために必要な演算を行う。Ｉ／Ｏ２３２は、光ディスク装置１を構成する各部との間で信号を中継する。ＲＯＭ２３３は、ＣＰＵ２３１が実行するプログラムを記憶する。ＲＡＭ２３５は、ＣＰＵ２３１が利用するデータを一時的に記憶する。メモリカード駆動装置２３７は、メモリカード３００からプログラムその他のデータを読み出す。バス２３９は、処理部２０を構成する各部の間で信号を伝達する。
【００３８】
図４は、本発明の実施の形態に係る信号の復号処理の制御の手順を示すフローチャートである。図４を参照して、光ディスク装置１の動作について説明する。
【００３９】
半導体レーザ４１は、レーザ駆動部６の制御に従ってレーザ光を光ディスク７０に照射する。なお、本実施の形態の場合、光ディスク７０は、記録層を二層含む。レーザ駆動部６は、処理部２０からの指示に応答して動作する。光ディスク７０に照射されたレーザ光は記録面において反射する。反射光は、対物レンズ４４、ビームスプリッタ４３、および集光レンズ４５を通過する。光検知器４６は、それらを通過した反射光を受光する（ステップＳ１００）。
【００４０】
光検知器４６によって反射光が受光されると、光検知器４６は、内周領域４６２それぞれと外周領域４６４それぞれとについて、反射光の強度を示す信号を生成する。生成された信号は、ＲＦ信号生成部７に出力される。ＲＦ信号生成部７は、Ａ／Ｄ変換により、反射光の強度を表わすデジタル信号を生成する。生成されたデジタル信号は、記憶部２０４に出力される。これにより、内周領域４６２と外周領域４６４とにおいてそれぞれ受光された光の強度を表わす値は、記憶部２０４に記憶されたことになる（ステップＳ１０２）。
【００４１】
反射光の強度を表わす値が記憶部２０４に記憶されると、利得算出部２０２は、次の式に基づいて、補正強度値を算出する（ステップＳ１０４）。
【００４２】
補正強度値＝内周領域４６２において受光された光の強度を表わす値の総和−外周領域４６４において受光された光の強度を表わす値の総和
内周領域４６２が受講した光の強度を表わす値および外周領域４６４が受講した光の強度を表わす値は、ステップＳ１００にて記憶部２０４に記憶された値である。
【００４３】
補正強度値が算出されると、利得算出部２０２は、補正強度値に基づいて利得を算出する。本実施の形態の場合、光ディスク７０からの反射光の強度を示す値に代え、補正強度値を用いて利得を算出する。光ディスク７０からの反射光の強度を示す値に基づいて利得を算出する方法自体は公知なので、ここではその詳細な説明は繰返さない。算出された利得は、記憶部２０４に記憶される（ステップＳ１０６）。
【００４４】
利得が算出されると、光検知器４６からの出力信号に基づいてＲＦ信号を生成し、データスライス信号生成部８へ出力する。データスライス信号生成部８は、このＲＦ信号を２値化したデータスライス信号を生成し、増幅部２０６に入力する。増幅部２０６は、データスライス信号を増幅する。増幅の際の利得は、記憶部２０４に記憶された利得に等しい（ステップＳ１０８）。
【００４５】
データスライス信号が増幅されると、変換部２０８は、増幅部２０６が増幅したデータスライス信号を復号することにより、映像信号や音声信号を得る。変換部２０８が復号した映像信号や音声信号は、映像・音声信号入出力部１０に入力される。映像・音声信号入出力部１０は、図示しないディスプレイやスピーカ、テレビ受像機などの外部装置に映像信号や音声信号を出力する（ステップＳ１１０）。
【００４６】
以上のようにして、本実施の形態に係る利得算出部２０２は、補正強度値に基づいて利得を算出する。これにより、複数の記録層を有する光ディスクすなわちデュアルディスクであっても、適切な利得を算出することができる。
【００４７】
図５を参照して、この点について説明する。図５は、単一の記録層を有する光ディスクすなわちシングルディスクとデュアルディスクとの、内周領域４６２において受光された光の強度と外周領域４６４において受光された光の強度とを、実際に信号が記録された記録層からの反射光の強度と共に表わす図である。なお、図５において、「ＲＦ」は実際に信号が記録された記録層からの反射光の強度を表わす。「メインＰＤ」は内周領域４６２において受光された光の強度を表わす。「サブＰＤ」は外周領域４６４において受光された光の強度を表わす。互いに接した２本の棒のうち、左の棒はシングルディスクについての強度を表わす。右の棒はデュアルディスクについての強度を表わす。
【００４８】
一般に、デュアルディスクに光を照射した場合、対物レンズ４４の焦点が合っている記録層以外の記録層からの反射光も光検知器４６は受光する。本実施の形態においては、このような光を「漏れ光」と称する。この漏れ光を光検知器４６が受光することにより、内周領域４６２において受光された光の強度と外周領域４６４において受光された光の強度とは、対物レンズ４４の焦点が合っている記録層からの反射光の強度と漏れ光の強度との和を表わすこととなる。
【００４９】
これに対し、シングルディスクに光を照射した場合、記録層が１つしかないため、光検知器４６が漏れ光を受光することはない。漏れ光が受光されないので、内周領域４６２において受光された光の強度と外周領域４６４において受光された光の強度とは、対物レンズ４４の焦点が合っている記録層からの反射光の強度を表わすこととなる。
【００５０】
上述の説明から明らかなように、構造上の相違が原因となって、シングルディスクに光を照射した場合とデュアルディスクに光を照射した場合とでは、実際に信号が記録された記録層からの反射光の強度が同一であっても、内周領域４６２において受光される光の強度は異なる。内周領域４６２において受光される光の強度が異なるため、シングルディスクの利得を算出する場合とまったく同じ方法でデュアルディスクの利得を算出すると、算出された利得は適切な利得よりも小さくなる。
【００５１】
しかしながら、図５から明らかなように、内周領域４６２において受光された光の強度と外周領域４６４において受光された光の強度との差は、シングルディスクかデュアルディスクかに関わらずほぼ同一である。従って、内周領域４６２において受光された光の強度に基づいて利得を算出するのではなく、内周領域４６２において受光された光の強度と外周領域４６４において受光された光の強度との差に基づいて利得を算出することにより、シングルディスクかデュアルディスクかに関わらず、適切な利得を算出することが可能になる。データが何ら記録されていない光ディスク７０であっても同様である。
【００５２】
適切な利得が算出されると、既に情報が記録されている領域に光を照射しても利得が小さすぎることによりデータスライス信号の値を誤認識する可能性は小さくなる。誤認識の可能性が小さくなるので、記録済み領域を未記録領域と誤認する可能性も小さくなる。その結果、光ディスクにデータが記録されているか否かを適切に判別できる光ディスク装置を提供することができる。
【００５３】
なお、変形例として、補正強度値は、上述した式以外の式により算出されてもよい。そのような式の例として、次の式がある。
【００５４】
強度補正値＝内周領域４６２において受光された光の強度を表わす値の総和−外周領域４６４のいずれかにおいて受光された光の強度を表わす値×Ａ
あるいは、補正強度値は、次の式によって算出されてもよい。
強度補正値＝内周領域４６２において受光された光の強度を表わす値の総和−光ディスク７０からの反射光の経路の中心軸に対して互いに対称な位置に設けられた外周領域４６４のいずれかにおいて受光された光の強度を表わす値×Ｂ
なお、強度補正値を算出する式に含まれる「Ａ」および「Ｂ」は係数を表わす。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の実施の形態に係る光ディスク装置の概略ブロック図である。
【図２】本発明の実施の形態に係る光検知器の構成を表わす図である。
【図３】本発明の実施の形態に係る処理部を実現するコンピュータハードウェアの制御ブロック図である。
【図４】本発明の実施の形態に係る復号処理の制御の手順を示すフローチャートである。
【図５】シングルディスクとデュアルディスクとの内周領域が受光した光の強度と外周領域が受光した光の強度とを表わす図である。
【符号の説明】
【００５７】
１  光ディスク装置、２  ディスク挿入検知部、３  スピンドルモータ、４  光ピックアップ、５  移動モータ、６  レーザ駆動部、７  ＲＦ信号生成部、８  データスライス信号生成部、９  サーボ制御部、１０  映像・音声信号入出力部、１１  リモコン、１２  リモコン受信部、１３  表示部、２０  処理部、４１  半導体レーザ、４２  コリメートレンズ、４３  ビームスプリッタ、４４  対物レンズ、４５  集光レンズ、４６  光検知器、４８  フォーカシングコイル、４９  トラッキングコイル、５０  永久磁石、７０  光ディスク、２０２  利得算出部、２０４  記憶部、２０６  増幅部、２０８  変換部、２３１  ＣＰＵ、２３２  Ｉ／Ｏ、２３３  ＲＯＭ、２３５  ＲＡＭ、２３７  メモリカード駆動装置、２３９  バス、３００  メモリカード、４６２  内周領域、４６４  外周領域。
【図１】
2008159115.tif 000003
【図２】
2008159115.tif 000004
【図３】
2008159115.tif 000005
【図４】
2008159115.tif 000006
【図５】
2008159115.tif 000007